(57)【要約】    【課題】安全に使用及び保管することができる軽量コンパクトな鋏の提供。    【解決手段】この鋏１０は、鋏本体１１と、安全カバー１２とを備えている。鋏本体１１は、握り鋏として構成されている。安全カバー１２は、常に鋏本体１１に取り付けられている。安全カバー１２は、刃部１３を被う姿勢と、刃部１３を露出させる姿勢との間で変位する。安全カバー１２は、刃部１３を被うことにより、刃を保護する部材として機能する。安全カバー１２は、刃部１３を露出させることにより、鋏１０の把手として機能する。安全カバー１２の全長は、鋏本体１１の全長よりも小さく設定されている。【選択図】図１
2007167114.tif 000002
【特許請求の範囲】
【請求項１】
Ｕ字状に形成された基部及び当該基部の対向する各端部に設けられた刃部を有する鋏本体と、
上記刃部を被って上記基部を露出させる第１位置と上記基部を被って上記刃部を露出させる第２位置との間で変位可能な状態で上記鋏本体に設けられた安全カバーとを備え、
当該安全カバーの長手方向寸法は、鋏本体の長手方向寸法より短く設定されている鋏。
【請求項２】
上記刃部の峰に対応する部分に指掛部が配置されている請求項１に記載の鋏。
【請求項３】
上記安全カバーはＵ字状に形成され、当該安全カバーの対向する両端部は、鋏本体の長手方向中央部に配置され且つ当該長手方向に直交する方向に延びる回動中心軸に回動可能に係合しており、
当該回動中心軸を中心に回動反転することによって当該安全カバーが上記第１位置又は第２位置に変位するように構成されている請求項１又は２に記載の鋏。
【請求項４】
上記基部は、上記刃部の峰を被って当該刃部を保持する保持フレームを有し、
上記安全カバーの両端部は、上記保持フレームに嵌合支持されている請求項１から３のいずれかに記載の鋏。
【請求項５】
上記基部、保持フレーム及び指掛部は、一体的に形成されている請求項４に記載の鋏。
【請求項６】
上記安全カバーを上記第１位置又は第２位置に位置決めする位置決め手段が設けられている請求項１から５のいずれかに記載の鋏。
【請求項７】
上記位置決め手段は、
鋏本体又は安全カバーのいずれか一方に設けられた係合凸部と、
鋏本体又は安全カバーのいずれか他方に設けられ、上記係合凸部と係合する係合凹部とを有する請求項６に記載の鋏。
【請求項８】
上記基部の内底部に磁石が設けられている請求項１から７のいずれかに記載の鋏。
【請求項９】
上記磁石は、指を掛けることができる凹部を備えている請求項８に記載の鋏。
【発明の詳細な説明】
【技術分野】
【０００１】
本発明は、釣糸等の始末や刺繍糸の切断等の細かい作業に適する鋏の構造に関するものである。
【背景技術】
【０００２】
例えば釣人は、釣りを行うにあたって所望の仕掛けを作成し、釣りの際中には仕掛けを交換ないし変更し、釣りが終わると仕掛けを切断するなど、常に釣糸を始末する必要がある。また、釣りに限らず、例えば和裁においては、作業者は刺繍糸等を始末する必要がある。このような釣糸や刺繍糸等を始末する作業を円滑に行うための道具として、従来から鋏が提供されている。鋏は、通常、作業者が把持する鋏本体と、鋏本体に設けられた刃部とを有する。刃部は一般に鋼からなり、きわめて鋭利に形成されているため、鋏は、使用時のみならず不使用時（例えば保管時）においても安全が確保されなければならない。そのため、刃部を被うことができるケースを備えた鋏が従来から提供されている（例えば、特許文献１及び特許文献２参照）。
【０００３】
【特許文献１】特開平８−１８２８７０号公報
【特許文献２】実開平４−３２６６７号公報
【発明の開示】
【発明が解決しようとする課題】
【０００４】
鋏本体にケースが設けられる場合であっても、ケースが鋏本体から取り外されるタイプのものでは当該ケースが失われるおそれがある。そのため、例えば釣り等のアウトドア用の鋏では、ケースと鋏本体とが完全に分離せず、鋏本体がケースに対して進退するタイプのものが提案されている。このタイプの鋏では、使用時に鋏本体がケースにから突出すると共に、保管時には鋏本体がケース内に収納されるようになっている。
【０００５】
しかし、このタイプの鋏では、使用時にケースから鋏本体が突出されると、鋏の全長が大きくなり、細かい作業においては使い勝手が悪くなる場合があった。また、特に釣り等において使用される鋏は、ウェアに装着され得るものであることが好ましく、そのため、軽量でコンパクトであることが要請されている。
【０００６】
一方、鋏本体が常にケースと合体されているから、鋏の使用時に鋏本体とケースとの間にがたつきが生じるおそれがある。鋏本体とケースとの間にがたつきが生じれば、鋏が使いにくくなるため、この問題を回避するために対策を高じる必要がある。
【０００７】
本発明は、かかる背景のもとになされたものであって、安全に使用及び保管することができる軽量コンパクトな鋏を提供することである。
【課題を解決するための手段】
【０００８】
(1) 上記目的が達成されるため、本発明に係る鋏は、Ｕ字状に形成された基部及び当該基部の対向する各端部に設けられた刃部を有する鋏本体と、上記刃部を被って上記基部を露出させる第１位置と上記基部を被って上記刃部を露出させる第２位置との間で変位可能な状態で上記鋏本体に設けられた安全カバーとを備える。この安全カバーの長手方向寸法は、鋏本体の長手方向寸法より短く設定されている。
【０００９】
この鋏本体は、Ｕ字状に形成された基部及びこれに設けられた刃部とを有し、いわゆる握り鋏（和鋏）として構成されている。したがって、本発明に係る鋏は、釣糸、裁縫糸、刺繍糸の切断等の細かい作業に適している。この鋏が使用されるときは、安全カバーが第２位置に変位される。これにより、鋏本体の刃部が露出され、基部が被われる。この鋏の使用者は、上記安全カバーと共に上記基部を握ることができるので、確実に当該鋏を把持することができる。すなわち、第２位置に変位した安全カバーは、当該鋏の把手を兼ねることになる。そして、使用者は、例えば上記刃部の峰に指を掛けて当該刃部を摘むことによって、釣糸等を簡単に切断することができる。また、当該鋏が保管されるときは、上記安全カバーが第１位置に変位される。これにより、鋭利な刃部が被われるので、当該鋏が安全に保管される。しかも、安全カバーの長手方向寸法が鋏本体の長手方向寸法より短く設定されていることから、安全カバーが第１位置及び第２位置のいずれの位置に変位した場合であっても、鋏の全長が大幅に大きくならない。
【００１０】
(2) 上記刃部の峰に対応する部分に指掛部が配置されているのが好ましい。
【００１１】
この構成では、使用者が上記刃部を摘む際に指を指掛部に掛けることができる。したがって、使用者は、容易且つ確実に鋏を握ることができ、釣糸等をより簡単に切断することができる。
【００１２】
(3) 上記安全カバーは、Ｕ字状に形成され、当該安全カバーの対向する両端部は、鋏本体の長手方向中央部に配置され且つ当該長手方向に直交する方向に延びる回動中心軸に回動可能に係合しており、当該回動中心軸を中心に回動反転することによって当該安全カバーが上記第１位置又は第２位置に変位するように構成されているのが好ましい。
【００１３】
この構成では、安全カバーは、上記回動中心軸の回りに回動されることにより、上記第１位置又は第２位置に変位する。そして、この回動中心軸を中心にして安全カバーが約１８０°回転することによって反転し、上記第１位置から第２位置へ又は上記第２位置から第１位置へ変位する。このように、安全カバーの変位がきわめて簡単に行われる。
【００１４】
(4) 上記基部は、上記刃部の峰を被って当該刃部を保持する保持フレームを有していてもよい。その場合、上記安全カバーの両端部は、上記保持フレームに嵌合支持されているのが好ましい。
【００１５】
上記保持フレームが設けられることにより、刃部の剛性が向上する。これにより、鋏は、一層使いやすいものとなる。また、上記安全カバーが上記保持フレームに嵌合支持されることにより、安全カバーのより円滑な変位が実現される。
【００１６】
(5) 上記基部、保持フレーム及び指掛部は、一体的に形成されているのが好ましい。
【００１７】
これにより、鋏本体の部品点数が削減され、鋏が安価に構成され得る。
【００１８】
(6) 上記安全カバーを上記第１位置又は第２位置に位置決めする位置決め手段が設けられているのが好ましい。
【００１９】
位置決め手段により、安全カバーが第１位置に保持される。したがって、鋏の使用中において、安全カバーが鋏本体に対して位置ずれすることがなく、鋏の使い勝手が向上する。また、位置決め手段により、安全カバーが第２位置に保持される。したがって、鋏の保管時において、安全カバーが鋏本体に対して位置ずれすることがなく、鋏の保管時の安全性が向上する。
【００２０】
(7) 上記位置決め手段は、鋏本体又は安全カバーのいずれか一方に設けられた係合凸部と、鋏本体又は安全カバーのいずれか他方に設けられ、上記係合凸部と係合する係合凹部とを有して構成され得る。
【００２１】
この構成では、位置決め手段がきわめて簡単な構造であり、したがって鋏の製造コストが大幅に上昇することはない。
【００２２】
(8) 上記基部の内底部に磁石が設けられているのが好ましい。
【００２３】
これにより、鋏は、例えば強磁性体に接着することができる。したがって、例えば、この鋏が釣りに使用される場合は、釣人が衣服（典型的にはライフジャケット）に強磁性体からなるプレートを設置しておくことにより、鋏は、このプレートに容易に着脱される。
【００２４】
(9) 上記磁石は、指を掛けることができる凹部を備えているのが好ましい。
【００２５】
この構成では、釣人は、上記凹部に指を掛けることができるので、鋏の着脱作業が一層簡単なものとなる。
【発明の効果】
【００２６】
本発明によれば、鋏本体がコンパクトに設計された場合であっても、安全カバーが鋏本体の把手を兼ね、しかも鋏本体の刃部に指掛部が設けられるので、使用者は、鋏本体を容易且つ安全に操作することができる。また、鋏の不使用時には、安全カバーが上記刃部を被うので、この鋏は、安全に保管される。加えて、上記安全カバーが鋏本体よりも小さく形成されるから、鋏全体がコンパクトに設計され得る。
【発明を実施するための最良の形態】
【００２７】
以下、適宜図面が参照されつつ、好ましい実施形態に基づいて本発明が詳細に説明される。
【００２８】
図１は、本発明の一実施形態に係る鋏の正面図であり、図２は、右側面図である。
【００２９】
この鋏１０は、鋏本体１１と、これに設けられた安全カバー１２とを備えている。本実施形態に係る鋏１０の特徴とするところは、鋏本体１１がいわゆる握り鋏として構成されており、釣糸や刺繍糸の切断等の細かい作業に適している点、安全カバー１２は常に鋏本体１１に取り付けられており、安全カバー１２が後述のように姿勢変化することによって、鋏本体１１の刃部１３を安全に保護するカバーとして機能すると共に、鋏１０が使用される際の把手として機能するようになっている点、及び全体としてコンパクト設計がなされており、例えば釣りの際に釣人にとって携帯に便利なものとなっている点である。
【００３０】
図３は、鋏本体１１の正面図である。
【００３１】
図１及び図３が示すように、鋏本体１１は、基部１４と、上記刃部１３と、指掛部１５とを備えている。
【００３２】
図２及び図３が示すように、基部１４は、細長帯状の部材がＵ字状に湾曲形成されており、両端部１６、１７が対向配置されている。本実施形態では、この基部１４は樹脂からなり、同図が示すようなＵ字状に成形されている。もっとも、基部１４は、金属板が前述のように湾曲されることにより構成されていてもよいことは勿論である。要するに、基部１４は、上記端部１６及び端部１７が互いに近接又は離反することができるように弾性変形が可能であればよい。
【００３３】
図４ないし図７は、ぞれぞれ、図３におけるIV−IV断面図、V−V断面図、VI−VI断面図及びVII−VII断面図である。
【００３４】
図３及び図４が示すように、基部１４の断面形状は、全体として矩形に形成されている。本実施形態では、上記指掛部１５が基部１４の端部１６と一体的に形成されている。他方の端部１７にも上記指掛部１５が一体的に形成されている。これら指掛部１５の構造については、後述される。基部１４の端部１６、１７の対向する面１８、１９に溝２０、２１が設けられている（図４参照）。この溝２０、２１に上記刃部１３が取り付けられるようになっている。この溝２０、２１は、基部１４の長手方向に延びており、図３が示すように基部１４の中央部まで達している。この溝２０、２１の幅寸法は、刃部１３を構成する刃本体２２、２３の肉厚寸法に対応されており、各刃本体２２、２３が確実に固定されるようになっている。なお、この溝２０、２１の内奥部に位置決めピン２４が設けられている。この位置決めピン２４は、半球状に形成されており、当該溝２０、２１の壁面に突設されている。後述されるが、上記刃本体２２、２３は、この位置決めピン２４に係合することによって、上記溝２０、２１内に位置決め固定される。
【００３５】
図３及び図５が示すように、基部１４の長手方向中央部に回動中心軸２５、２６が設けられている。この回動中心軸２５、２６は、円柱状に形成されており、基部１４の外側面２７に突設され、基部１４の長手方向に直交する方向に延びている。本実施形態では、この回動中心軸２５、２６は、基部１４と一体的に形成されている。もっとも、回動中心軸２５、２６が金属等により構成され、基部１４の外側面２７に固定されていてもよい。図１が示すように、上記安全カバー１２は、この回動中心軸２５、２６によって回動自在に支持され、後述のように反転変位することができるようになっている。
【００３６】
図３が示すように、基部１４の外壁面２７に保持ピン２８、２９（係合凸部）が設けられている。これら保持ピン２８、２９は、上記回動中心軸２５を中心にして上下方向に対称に配置されている。上記安全カバー１２は、この保持ピン２８、２９と係合するようになっており、これにより、安全カバー１２は、後述のように姿勢が保持されるようになっている。本実施形態では、この保持ピン２８、２９は半球状に形成され、基部１４と一体的に形成されている。もっとも、保持ピン２８、２９が金属等により構成され、基部１４の外側面２７に固定されていてもよい。なお、同様に、上記回動中心軸２６を中心にして上下方向に対称に保持ピン３０、３１が設けられており、この保持ピン３０、３１も上記安全カバー１２と係合するようになっている。
【００３７】
図３及び図６が示すように、基部１４の腰部３２（基部１４の湾曲された下部）に連結部材３３が配置されている。この連結部材３３は、線状部材からなり、アーチ状に湾曲して上記腰部３２の内側に左右に架け渡すように配置されている。この連結部材３３が設けられることにより、基部１４の剛性が向上する。本実施形態では、この連結部材３３は、基部１４と一体的に形成されている。もっとも、連結部材３３が金属等により構成され、基部１４の内側に固定されていてもよい。
【００３８】
図３及び図７が示すように、基部１４の上記腰部３２の内側（基部の内底部）に円環部材３４が設けられている。この円環部材３４も基部１４と一体的に形成されており、上記腰部３２の一部を構成している。この円環部材３４の中心に、図３において紙面に垂直な方向に凹部５２が設けられている。この凹部５２は、図７が示すように、円環部材３４の表裏に設けられており、円形に形成されている。これら凹部５２が設けられることによる作用効果については後述される。本実施形態では、この円環部材３４が基部１４と一体的に形成されているが、円環部材３４が金属等により構成され、上記腰部３２に嵌め込まれていてもよい。
【００３９】
図３が示すように、上記刃部１３は、前述のように刃本体２２、２３を備えている。刃本体２３は、鋼からなる。刃本体２３の背側（同図において左側）は、峰３５を形成しており、この峰３５の反対側縁部（同図において、右側縁部）に刃３７が形成されている。上記峰３５の下方に連続して取付脚部３６が形成されている。この取付脚部３６には、取付凹部３８が設けられている。この刃本体２３は、上方から上記基部１４に設けられた溝２１に挿入される。これにより、刃本体２３の取付脚部３６及び上記峰３５が上記溝２１内に進入し、上記取付凹部３８と上記位置決めピン２４とが嵌合する。これにより、刃本体２３は、基部１４の端部１７に位置決めされる。なお、刃本体２３は、例えば接着剤等により上記端部１７に固着されていてもよい。
【００４０】
刃本体２２は、刃本体２３と同様に鋼からなる。また、刃本体２２は、刃本体２３と同様の形状であり、上記基部１４の端部１６に刃本体２３と同様に取り付けられている。ただし、刃本体２２は、刃本体２３を表裏反転させた状態で上記端部１６に取り付けられている。すなわち、刃本体２２も、背側（同図において右側）に峰３９が形成されており、この峰３９の反対側縁部（同図において、左側縁部）に刃４０が形成されている。上記峰３９の下方に連続して取付脚部４１が形成されており、この取付脚部４１に取付凹部４２が設けられている。刃本体２３と同様に刃本体２２も上方から上記基部１４に設けられた溝２０に挿入される。これにより、刃本体２２の取付脚部４１及び上記峰３９が上記溝２０内に進入し、上記取付凹部４２と上記位置決めピン２４とが嵌合することによって、刃本体２２が基部２４の端部１６に位置決めされる。なお、刃本体２２も、例えば接着剤等により上記端部１６に固着され得る。
【００４１】
刃本体２２及び刃本体２３が前述のように基部１４に固定されることにより、刃本体２２と刃本体２３は、図３が示すように対向し、且つその一部が紙面に垂直な方向に重なるように並設される。したがって、各刃３７、４０の間に例えば釣糸等が配置され、上記端部１６、１７が互いに近接するように基部１４が操作されると、一対の刃３７、４０間に釣糸等が挟み込まれ、切断される。
【００４２】
図２ないし図４が示すように、指掛部１５は、刃本体２２及び刃本体２３のそれぞれの峰３９及び峰３５に対応する位置に設けられている。したがって、作業者は、この指掛部１５を摘むことによって、釣糸等をきわめて簡単に切断することができる。本実施形態では、この指掛部１５は、上記基部１４の端部１６及び端部１７にそれぞれ設けられている。すなわち、指掛部１５は、基部１４を介して上記峰３９、３５に取り付けられている。前述のように、指掛部１５は、上記端部１６及び端部１７と一体的に形成されている。これにより、指掛部１５が安価に構成され得る。もっとも、指掛部１５が基部１４とは別の部材として構成され、これが基部１４に取り付けられてもよいし、この指掛部１５が上記峰３９、３５に直接取り付けられていてもよい。
【００４３】
本実施形態では、指掛部１５は、略直方体状を呈し、上記端部１６、１７の外側面に突設されている。この指掛部１５の外側面に複数の凹条４３が設けられている。この凹条４３は、指掛部１５が操作される際の滑止めとして機能する。したがって、滑止めとして機能する限り、上記凹条４３にに代えて突条や突起のほか穴が設けれていてもよい。
【００４４】
換言すれば、上記基部１４は、上記刃本体２２、２３を保持する保持フレームを兼ねている。そして、保持フレーム、上記基部１４及び指掛部１５は、一体的に形成されている。このように基部１４が保持フレームを兼ねていることによる作用効果、及び上記指掛部１５が設けられることによる作用効果については、後述される。
【００４５】
図８は、安全カバー１２の正面図である。
【００４６】
図１、図２及び図８が示すように、安全カバー１２は、細長帯状の部材がＵ字状に湾曲形成されることにより構成されている。図８が示すように、安全カバー１２の両端部４４、４５は対向配置されており、各端部４４、４５は、長手方向に直交する方向に貫通孔４６が設けられている。この貫通孔４６の内径寸法は、上記基部１４に設けられた回動中心軸２５、２６の外形寸法に対応しており、上記回動中心軸２５、２６は、安全カバー１２の貫通孔４６に回動自在に嵌合している。本実施形態では、安全カバー１２は樹脂からなる。もっとも、基部１４は、金属板が湾曲されることにより構成されていてもよい。
【００４７】
安全カバー１２の長手方向寸法Ｌ１は、鋏本体１１の長手方向寸法Ｌ２よりも小さく設定されている。具体的には、本実施形態に係る鋏１０では、上記寸法Ｌ２が６０ｍｍに設定され、上記寸法Ｌ１が４０ｍｍに設定されている。寸法Ｌ１、Ｌ２は、これらに限定されるものではないが、鋏本体１１の長手方向寸法Ｌ２が４０ｍｍ〜１００ｍｍの範囲に設定されるのが好ましい。寸法Ｌ２がこの範囲に設定されることにより、鋏本体１１がコンパクトに形成され、携帯に便利だからである。また、安全カバー１２の長手方向寸法Ｌ１は、上記寸法に限定されるものではなく、上記寸法Ｌ２の５１％〜７０％の範囲で適宜設定され得る。
【００４８】
安全カバー１２の中央部に切欠部４７、４８が設けられている。この切欠部４７、４８は、安全カバー１２の内壁面４９が肉厚方向（図８において左右方向）に切り欠かれることによって構成されている。また、各切欠部４７、４８の下方に凹部５０、５１が設けられている。この凹部５０、５１を構成する壁面は、球面状に形成されている。凹部５０の曲率半径は、上記保持ピン２８、２９（図１参照）の外周面の曲率半径に対応されている。また、凹部５１の曲率半径は、上記保持ピン３０、３１の外周面の曲率半径に対応されている。さらに、凹部５０、５１は、図８において左右方向に対向配置されており、上記貫通孔４６の中心から一定距離に配置されている。この一定距離は、上記回動中心軸２５（図１参照）の中心を基準とする上記保持ピン２８〜３１までの距離に対応されている。したがって、図１が示すように、上記保持ピン２８及び保持ピン３０は、それぞれ安全カバー１２の凹部５０、５１と嵌合することができる。
【００４９】
安全カバー１２が上記サイズに設定されているので、回動中心軸２５、２６が安全カバー１２の貫通孔４６と嵌合することによって、安全カバー１２は、図１が示すように上記刃部１３を被って上記基部１４を露出させる位置（第１位置）に配置される。また、安全カバー１２は、上記回動中心軸２５、２６を中心に回動し反転することによって、上記基部１４部を被って上記刃部１３を露出させる位置（第２位置）に変位することもできる（図９及び図１０参照）。
【００５０】
安全カバー１２が第１位置に変位したときは、図１が示すように、指掛部１５が上記切欠部４７、４８に嵌り込み、且つ上記保持ピン２８、３０が上記凹部５０、５１に係合する。これにより、安全カバー１２は、一定の保持力で上記刃部１３を被う姿勢に保持される。
【００５１】
図９は、安全カバー１２が第２位置に変位したときの鋏１０の正面図であり、図１０は、右側面図である。
【００５２】
安全カバー１２が上記回動中心軸２５、２６を中心にして回動することにより、安全カバー１２は、図９が示す第２位置に反転変位する。安全カバー１２が第１位置から第２位置に変位する際に、上記保持ピン２８、３０と上記凹部５０、５１との係合が解除され、安全カバー１２が第２位置に変位したときは、上記凹部５０、５１と保持ピン２９、３１とが係合する。これにより、安全カバー１２は、一定の保持力で上記基部１４を被う姿勢に保持される。このように、上記凹部５０、５１と、上記保持ピン２８〜３１とにより、安全カバー１２を上記第１位置又は第２位置に位置決めする位置決め手段が構成されている。なお、上記凹部５０、５１が鋏本体１１の基部１４に設けられ、上記保持ピン２８〜３１が安全カバー１２に設けられていてもよいことは勿論である。
【００５３】
本実施形態に係る鋏１０は、前述のように握り鋏（和鋏）として構成されており、したがって、釣糸、裁縫糸、刺繍糸の切断等の細かい作業に適している。この鋏１０が使用されるときは、安全カバー１２が第２位置に変位される（図９参照）。これにより、鋏本体１１の刃部１３が露出される。このとき、安全カバー１２によって鋏本体１１の基部１４が被われるので、この鋏１０の使用者は、上記安全カバー１２と共に上記基部１４を握ることができる。すなわち、第２位置に変位した安全カバー１２は、鋏１０の把手を兼ねることになり、使用者は、確実に鋏１０を把持することができる。
【００５４】
図１１は、使用状態における鋏１０の正面図である。
【００５５】
同図が示すように、使用者は、上記刃部１３の峰３５、３９に指を掛けて当該刃部１３を摘む。これにより、鋏本体１１の基部１４が弾性的に変形し、端部１６及び端部１７が互いに近接する。これにより、刃部１３の刃本体２２、２３も互いに近接し、刃本体２２、２３間に挿入された釣糸等が切断される。
【００５６】
一方、鋏１０が保管されるときは、上記安全カバー１２が第２位置から第１位置に変位される（図１参照）。これにより、鋭利な刃部１３が被われるので、鋏１０が安全に保管される。しかも、安全カバー１２の長手方向寸法Ｌ１が鋏本体１１の長手方向寸法Ｌ２より短く設定されていることから、安全カバー１２が第１位置及び第２位置のいずれの位置に変位した場合であっても、鋏１０の全長が大幅に大きくならない。
【００５７】
このように、本実施形態に係る鋏１０によれば、鋏本体１１がコンパクトに設計され得るので、例えば磯釣り等で使用される場合であっても、使用者（釣人）は、鋏１０を容易に携帯することができる。また、前述のように安全カバー１２が鋏本体１１の把手を兼ねるので、使用者は、鋏本体１１を容易且つ安全に操作することができる。しかも鋏本体１１の刃部１３に指掛部１５が設けられるので、鋏１０の操作性及び安全性が一層向上する。さらに、鋏１０の不使用時には、安全カバー１２が上記刃部１３を被うので、この鋏１０は、安全に保管される。
【００５８】
本実施形態では、安全カバー１２は、回動中心軸２５、２６（図１参照）の回りに１８０°だけ回動することによって上記第１位置又は第２位置に変位する。したがって、そして、安全カバー１２の姿勢変化がきわめて簡単に行われるという利点がある。
【００５９】
また、本実施形態では、上記基部１４が上記刃部１３を保持する保持フレームを兼ねている。これにより、刃部１３の剛性が向上し、したがって、鋏１０は、一層使いやすいものとなる。さらに、上記基部１４は、上記保持フレーム及び指掛部１５と共に一体的に形成されているから、鋏本体１１の部品点数が削減され、鋏１０が安価に構成され得るという利点もある。
【００６０】
加えて、安全カバー１２は、上記第１位置に一定の保持力で保持されるから、鋏１０の使用中において、安全カバー１２が鋏本体１１に対して簡単に位置ずれすることがなく、鋏１０の使い勝手が向上し、より安全な使用が実現される。また、安全カバー１２が第２位置にも保持されるから、鋏１０の保管時において、安全カバー１２が鋏本体１１に対して位置ずれすることがなく、鋏１０の保管時の安全性が向上する。
【００６１】
次に、本実施形態の変形例について説明される。
【００６２】
図１２は、本実施形態の変形例に係る鋏１０の要部拡大断面図である。同図は、鋏本体１１の基部１４の断面を示しており、図３におけるVII−VII断面図である。
【００６３】
本変形例に係る鋏が上記実施形態に係る鋏１０と異なるところは、基部１４の腰部３２に設けられた凹部５２に磁石５３が嵌め込まれている点である。なお、その他の構成については、上記実施形態と同様である。
【００６４】
磁石５３は、円盤状に形成されている。磁石５３の外形形状は、上記凹部５２の形状に対応されており、磁石５３は、上記凹部５２に嵌合固定されている。また、この磁石５３の側面に指掛孔５４（凹部）が設けられている。指掛孔５４は、本変形例では円形に形成されているが、指掛孔５４の形状は、指先が引っ掛かるものであれば特に限定されない。
【００６５】
上記磁石５３が設けられることにより、鋏は、例えば強磁性体に接着することができる。したがって、例えば、この鋏が釣りに使用される場合は、釣人が着るライフジャケット等に強磁性体からなるプレートを設置しておくことにより、鋏は、このプレートに容易に着脱されるという利点がある。また、磁石５３に上記指掛孔５４が設けられているので、釣人は、この指掛孔５４に指を掛けて鋏を操作することができる。
【００６６】
次に、本実施形態の他の変形例について説明される。
【００６７】
図１３は、本実施形態の他の変形例に係る鋏６０の正面図であり、安全カバー６２が第２位置に変位した状態が図示されている。また、図１４は、当該安全カバー６２が第１位置に変位した状態における鋏６０の正面図である。
【００６８】
本変形例に係る鋏６０が上記実施形態に係る鋏１０と異なるところは、安全カバー６２の両端部４４、４５がその長手方向に延長されており、鋏本体１１の基部１４の端部１６、１７まで被っている点、安全カバー６２は、第１位置及び第２位置において保持ピン２８、２９の双方によって保持されるようになっている点、及び安全カバー６２に上記指掛部１５が設けられている点である。なお、その他の構成については、上記実施形態に係る鋏１０と同様である。
【００６９】
これらの図が示すように、この変形例に係る鋏６０では、安全カバー６２の両端部４４、４５が鋏本体１１の基部１４の全体を被っているから、鋏６０はより握りやすくなる。しかも、上記指掛部１５が安全カバー６２と一体的に設けられ、刃本体２２、２３の峰に対応する位置に設けられているから、鋏６０の操作が一層簡単になる。また、安全カバー６２が保持ピン２８、２９の双方によって保持されるから、使用中に使用者が意図しないときに安全カバー６２が姿勢変化することが確実に防止される。
【産業上の利用可能性】
【００７０】
本発明は、釣りや裁縫等に使用される鋏にに適用され得る。
【図面の簡単な説明】
【００７１】
【図１】図１は、本発明の一実施形態に係る鋏の正面図である。
【図２】図２は、本発明の一実施形態に係る鋏の右側面図である。
【図３】図３は、本発明の一実施形態に係る鋏本体の正面図である。
【図４】図４は、図３におけるIV−IV断面図である。
【図５】図５は、図３におけるV−V断面図である。
【図６】図６は、図３におけるVI−VI断面図である。
【図７】図７は、図３におけるVII−VII断面図である。
【図８】図８は、本発明の一実施形態に係る鋏の安全カバーの正面図である。
【図９】図９は、安全カバーが第２位置に変位したときの鋏の正面図である。
【図１０】図１０は、安全カバーが第２位置に変位したときの鋏の右側面図である。
【図１１】図１１は、使用状態における鋏の正面図である。
【図１２】図１２は、本発明の一実施形態の変形例に係る鋏の要部拡大断面図である。
【図１３】図１３は、本発明の一実施形態の他の変形例に係る鋏の正面図である。
【図１４】図１４は、本発明の一実施形態の他の変形例に係る鋏の正面図である。
【符号の説明】
【００７２】
１０・・・鋏
１１・・・鋏本体
１２・・・安全カバー
１３・・・刃部
１４・・・基部
１５・・・指掛部
１６・・・端部
１７・・・端部
２４・・・位置決めピン
２５・・・回転中心軸
２６・・・回転中心軸
２８・・・保持ピン
２９・・・保持ピン
３０・・・保持ピン
３１・・・保持ピン
３４・・・円環部材
３５・・・峰
３９・・・峰
４４・・・端部  
４５・・・端部
４６・・・貫通孔
５０・・・凹部
５１・・・凹部
５２・・・凹部
５３・・・磁石
５４・・・指掛孔
【図１】
2007167114.tif 000003
【図２】
2007167114.tif 000004
【図３】
2007167114.tif 000005
【図４】
2007167114.tif 000006
【図５】
2007167114.tif 000007
【図６】
2007167114.tif 000008
【図７】
2007167114.tif 000009
【図８】
2007167114.tif 000010
【図９】
2007167114.tif 000011
【図１０】
2007167114.tif 000012
【図１１】
2007167114.tif 000013
【図１２】
2007167114.tif 000014
【図１３】
2007167114.tif 000015
【図１４】
2007167114.tif 000016